【手続補正書】
【提出日】令和2年1月31日(2020.1.31)
【手続補正１】
【補正対象書類名】明細書
【補正対象項目名】全文
【補正方法】変更
【補正の内容】
【発明の詳細な説明】
【発明の名称】飲料または食品カートリッジ用のカートリッジ受入れ部品
【技術分野】
【０００１】
本発明は、希釈液、特に、水の流入部分、希釈液と飲料基体または食品基体とが混合される混合チャンバ、ならびに、流出部分を有するカートリッジ受入れ部品に関する。
【背景技術】
【０００２】
このようなカートリッジ受入れ部品は、例えば、欧州特許出願公開第２０１７２２１Ａ１号明細書および国際公開第２００６／００５４０１Ａ２号明細書などの従来技術から知られており、例えば、カートリッジを用いて冷たい飲料を製造するために使用される。
良好な清潔さに加えて、カートリッジ受入れ部品の中で混合される飲料基体または食品基体と溶媒、特に、水との良好な混合が重要である。
【発明の概要】
【発明が解決しようとする課題】
【０００３】
従って、これらの要件を満たすカートリッジ受入れ部品を提供することが本発明の目的である。
【課題を解決するための手段】
【０００４】
この目的は、希釈液、特に、水の流入部分、希釈液と飲料基体または食品基体とが混合される混合チャンバ、ならびに、流出部分を有するカートリッジ受入れ部品であって、希釈液の流れの方向に関して、流れ断面が最初に拡張され、次いで、再び、縮小されるカートリッジ受入れ部品によって達成される。
【０００５】
本発明の主題は、本発明の他の主題に等しく当てはまり、逆もまた同様である。
【０００６】
本発明は、可逆的または不可逆的にカートリッジを部分的に受け入れるカートリッジ受入れ部品に関する。
カートリッジは、飲料または食品製造前に飲料基体または食品基体が配置され、気密式に密封されるキャビティを有している。
飲料または食品を製造するために、カートリッジは、次に開封され、穿刺され、飲料基体または食品基体は、カートリッジ受入れ部品の混合チャンバに入りまたは流れ込み、カートリッジ受入れ部品は、溶媒、特に、水の流入部分も有し、溶媒、特に、水の流入部分は、出来上がった飲料または食品を製造するために飲料基体または食品基体と混合され、出来上がった飲料または食品は、カートリッジ受入れ部品に設けられた流出部分を介して混合チャンバから出る。
溶媒の体積流量は、飲料基体または食品基体の体積流量よりも一般にはるかに多い。
【０００７】
本発明によれば、流れ断面、すなわち、液体の流れのために、特に、溶媒の流れまたは溶媒および飲料基体または食品基体の混合物のために取ることができる断面は、溶媒の流れの方向に関して、流速が最初に低減され、その後、再び加速されるように設けられている。
流れ断面の狭窄によって達成される加速は、溶媒および飲料基体または食品基体がブレンドされた後、可能な限り発生する。
【０００８】
拡張された流れ断面の領域と、狭窄した流れ断面の領域との間の特定の移行部は、混合チャンバの壁の輪郭によって画定される。
このため、この壁は、湾曲したまたは段付きの、あるいは、角度の付いた輪郭を移行部領域に有し得る。
【０００９】
本発明によれば、混合チャンバは、突出部を有する。
【００１０】
本発明の主題は、本発明の他の主題に等しく当てはまり、逆もまた同様である。
【００１１】
この突出部は、カートリッジ受入れ部品の２つの端部側の間に延在する周囲、特に、横方向周囲から突出する。
突出部は、混合チャンバの一部である。
混合チャンバの周囲は、円形の形状を有し、突出部は、この円形の形状から突出する。
出来上がった飲料または食品の流出部分は、突出部の中に設けられている。
【００１２】
カートリッジ受入れ部品は、固定リングまたは固着リングを有している。
この固定リングまたは固着リングは、カートリッジを受け入れ、カートリッジは、カートリッジ受入れ部品に固定される。
固定リングまたは固着リングには、混合チャンバに所定の変形点または破断点が設けられる。
飲料または食品の製造前に、この点は、変形または破壊され、不可逆的に変形される。
これは、例えば、カートリッジおよびカートリッジ受入れ部品が互いに移動されることによって生じることができる。
変形または破壊の結果として、カートリッジ受入れ部品は、一度だけ使用でき、または、カートリッジ受入れ部品とカートリッジとの間の相互接続は、解除できない。
【００１３】
少なくとも１つの混合要素が、混合チャンバに設けられ、混合要素は、溶媒または溶媒と飲料基体または食品基体の混合物が渦巻かせられることを保証する。
混合要素は、底部に突出部として設けられる。
混合要素は、溶媒中に溶解される炭酸が抜けないようにまたはわずかしか抜けないように設計される。
混合要素は、わずかな圧力低下だけを示すように設計される。
【００１４】
カートリッジ受入れ部品は、膜に穴を開ける穿刺手段を有している。
この穿刺手段は、混合チャンバの底部から突出するスパイクとして設計される。
穿刺手段は、その外周に少なくとも１つの、好ましくは、複数の窪みまたは突出部を有し、これが飲料基体または食品基体の流出部分として働く。
窪みまたは突出部の量およびサイズは、飲料基体または食品基体の粘度に依存する。
穿刺手段は、先端部でまたは先端部の領域で終端するチャネルを有している。
飲料基体または食品基体の調製を加速するためにまたは計量するために、このチャネルを介して、ガス、特に、空気またはＣＯ２をカートリッジに吹き込むことが可能である。
【００１５】
カートリッジ受入れ部品は、スパイク案内部分を有し、穿刺手段は、スパイク案内部分内に変位可能に取り付けられ、穿刺手段は、膜から離れた後退位置と、カートリッジの膜を貫きカートリッジ内に突出する伸長位置との間で変位可能である。
膜が穿刺手段によって穿刺されると、飲料基体または食品基体を混合チャンバの方向に流すための少なくとも１つの横方向の流出チャネルが、穿刺手段の外壁に導入される。
さらに、圧縮空気ラインが、穿刺手段に一体化され、圧縮空気源に接続するための圧縮空気接続部が、カートリッジから離れた穿刺手段の側に形成され、前記圧縮空気接続部は、カートリッジ受入れ部品の外側からアクセス可能であり、圧縮空気をカートリッジに吹き込むための圧縮空気ラインの圧縮空気出口が、カートリッジに面する穿刺手段の側に形成されている。
【００１６】
流入部分および流出部分は、カートリッジ受入れ部品の両端に設けられている。
穿刺手段は、流入部分および流出部分と整列された態様で設けられる。
【００１７】
本発明によれば、出口は、移動可能な方法で、回動可能な方法で混合チャンバに設けられるか、または、出口を配向することができる、特に、出来上がった飲料または食品を受ける容器の側壁の方向に方向付けることができる手段を有している。
この実施形態は、泡立つ傾向のある飲料または食品の場合に有利である。
出口は、手動でまたはモータによって移動させることができる。
カートリッジが識別子を有する場合、ディスペンサがカートリッジを認識した後で自動的に回動が生じることができる。
【００１８】
本発明は、カートリッジ受入れ部品、または、本発明によるカートリッジ受入れ部品を有するシステムであり、カートリッジ受入れ部品にカートリッジが提供され、このカートリッジは、壁領域を有し、その一方の端部は、膜によって閉鎖された接続領域に隣接され、その反対側の端部に任意選択的に底部領域が提供され、壁領域および底部領域は、飲料基体または食品基体を収容するキャビティを画成する。
【００１９】
本発明は、本発明の他の主題に等しく当てはまり、逆もまた同様である。
【００２０】
カートリッジは、プラスチックから成形または吹込み成形プロセスによって製造されている。
カートリッジは、例えば、円形、長方形、正方形、円錐形または楕円形の断面を有する側壁を有している。
底部は、側壁の一方の端部に一体部品として設けられている。
側壁および任意選択的に底部領域は、液体の形態の飲料基体または食品基体が提供されるキャビティを画成する。
壁領域の他方の端部に提供されるのは、接続領域であり、これによって、カートリッジは、カートリッジ受入れ部品に接続される。
このカートリッジ受入れ部品は、ディスペンサの一部またはディスペンサと別個の構成要素であることができる。
【００２１】
接続領域は、フランジを有するように設けられる。
フランジは、接続領域から突出し、壁領域からある角度で、好ましくは直角に突き出る。
飲料または食品を製造するために、フランジは、水平に配向されている。
フランジは、固体材料から作られ、すなわち、中空に作製されない。
【００２２】
さらに、フランジには、位置決め手段または被覆手段が設けられている。
位置決め手段は、カートリッジが特定の位置でのみ、特に特定の回転角度でカートリッジの長手方向中心軸に対して、ディスペンサ上にまたはカートリッジ受入れ部品上に配置されることを保証する。
被覆手段は、ある領域を、出来上がった飲料または食品が通り抜けて流出する領域を被覆する。
位置決め手段および被覆手段は、同一のものである。
【００２３】
位置決め手段または被覆手段は、窪みまたはフランジの周囲から突出する突出部である。
位置決め手段または被覆手段は、フランジと一体の部材として設けられている。
例えば、位置決め手段または被覆手段は、フランジの周囲の一点で一体的に形成される突起として構成されている。
位置決め手段または被覆手段の厚さは、実質的にフランジの厚さに一致する。
【００２４】
首部が、壁領域と接続領域との間に設けられている。
この首部は、例えば、丸い断面を有することができる。
首部は、接続領域と壁領域との間を示す。
フランジは、直角に首部に隣接する。
【００２５】
カートリッジを使用前に閉鎖する、特に、気密式に密封する膜が、フランジに、特に、その端面に密封式に設けられる。
このため、フランジの端面は、密封の間、この密封器具と協働するビード、特に、円形リングのようなビードを有することができる。
膜の外周は、フランジの外周よりも短い。
【００２６】
固定手段が、壁領域または首部の領域に設けられている。
この固定手段を介して、カートリッジをディスペンサに接続することができる。
固定手段は、例えば、ディスペンサ上の固定手段と係合する溝であることができる。
【００２７】
カートリッジ受入れ部品は、カートリッジに固定式に接続されるか、または、カートリッジの使用後にカートリッジから取り外され、新しいカートリッジに接続される交換部品であることができる。
カートリッジ受入れ部品は、射出成形によってプラスチックから作られている。
カートリッジ受入れ部品は、ディスペンサに接続される。
【００２８】
被覆手段は、カートリッジのフランジに設けられ、カートリッジ受入れ部品の流出部分を被覆する。
【００２９】
カートリッジの周囲のフランジは、カートリッジ受入れ部品と密封式に協働する。
このため、フランジの周囲は、例えば、カートリッジ受入れ部品の溝に係合することができる。
このフランジまたは溝接続は、圧力嵌めとして作用することもでき、それにより、飲料または食品製造の間、カートリッジ受入れ部品に対してカートリッジが移動することを防止し、また、カートリッジとカートリッジ受入れ部品との間の接続が、その密着性を喪失することを防止する。
【００３０】
カートリッジおよびカートリッジ受入れ部品は、膜が穿刺される前、長手方向に互いに変位可能であるように提供される。
この長手方向の変位の結果として、穿刺手段は、膜と係合され、膜を穿刺することができる。
【００３１】
カートリッジおよびカートリッジ受入れ部品は、一体回転できるように固定された方法で相互に接続される。
【００３２】
穿刺手段は、チャネルを有している。
このチャネルを介してガスをカートリッジに押し込むことができ、ガスは、飲料基体または食品基体をカートリッジから押し出し、カートリッジ受入れ部品の混合スペースに押し込む。
【００３３】
以下、本発明を図１〜図１５を参照して説明する。
これらの説明は、本発明による一般概念を制限しない。
説明は、本発明によるカートリッジおよびシステムに等しくあてはまる。
【図面の簡単な説明】
【００３４】
【図１】本発明の第１実施形態であるシステムを示す。
【図２】本発明の第１実施形態であるシステムを示す。
【図３】本発明の第１実施形態であるシステムを示す。
【図４】本発明の第１実施形態であるシステムを示す。
【図５】本発明のさらなる実施形態であるシステムを示す。
【図６】本発明のさらなる実施形態であるシステムを示す。
【図７】本発明のさらなる実施形態であるシステムを示す。
【図８】本発明のさらなる実施形態であるシステムを示す。
【図９】固定手段を有する実施形態を示す。
【図１０】混合要素の２つの例を示す。
【図１１】混合要素の２つの例を示す。
【図１２】ディスペンサのカートリッジ受入れ部品のホルダを示す。
【図１３】本発明のさらなる実施形態によるシステムのカートリッジを示す。
【図１４】本発明のさらなる実施形態によるシステムのカートリッジ受入れ部品を示す。
【図１５】本発明のさらなる実施形態によるカートリッジ受入れ部品のスパイクを示す。
【発明を実施するための形態】
【００３５】
図１〜図４は、カートリッジ１とカートリッジ受入れ部品１０とからなる本発明の第１実施形態であるシステムを示す。
カートリッジ１は、射出成形または吹込み成形技術によって、プラスチック材料から製造されている。
カートリッジ１は、正方形の壁領域６を有し、その上端部は、底部領域７に隣接している。
壁領域６および底部領域７は、キャビティの境界を定め、キャビティ内に飲料基体または食品基体、具体的には、濃縮物が配置され、それを用いて飲料または食品を製造することができる。
底部領域７と反対側の壁領域６のより低い端部に接続領域４が設けられ、この接続領域４は、首部３およびフランジ５を有している。
カートリッジ１のキャビティは、充填された後、クロージャ１４、本例では、膜１４によって気密式に密封される。
プラスチックフォイルからなる膜１４は、接着式のシール１９によって、フランジ５に接続されている。
カートリッジ１は、接続領域４を介して、カートリッジ受入れ部品１０に接続される。
突起状の突出部として設けられる位置決めまたは被覆手段８が、フランジ５に設けられる。
突起は、フランジ５に一体的に形成されている。
さらに、図１ｂ）および図１ｃ）から理解できるように、このシステムは、カートリッジ受入れ部品１０を有している。
このカートリッジ受入れ部品１０は、溶媒、特に、水の流入部分１５（図２参照）、ならびに、溶媒と飲料基体または食品基体とが混合される混合チャンバ１３を有している。
混合物の流れの方向は、図１ｃ）中に物質プラス溶媒または水の流れの方向１２を示す矢印で示されている。
出来上がった飲料または食品は、流出部分１１を介して混合チャンバ１３を出て、容器、例えば、グラスに収集される。
さらに、図２から理解できるように、カートリッジ受入れ部品１０は、図３のスパイクからなる穿刺手段１６を有し、この穿刺手段１６は、カートリッジ１のフランジ領域に封じ付けられる膜１４を穿刺し、その結果、飲料基体または食品基体は、スパイク１６の外面に沿って混合チャンバ１３に流れ込むことができ、スパイク１６には、このために、その外側に流出チャネル１７が設けられている。
【００３６】
図２は、穿刺手段１６が、膜１４と係合する前のシステムを示す。
係合を達成するために、カートリッジ１またはカートリッジ受入れ部品１０は、長手方向に互いにシフトされ、その結果、スパイク１６は、膜１４を貫通し、これは、図３ｃ）から見ることができる。
前記図中、飲料基体または食品基体が混合チャンバ１３に流れ込む流出チャネル１７も、識別することができる。
混合チャンバ１３に入る飲料基体または食品基体の流れは、穿刺するスパイク１６内のダクトであるガス入口１８を介してカートリッジ１に押し込まれるガスによって、目標とする態様で加速および制御することができる。
例えば、カートリッジ１内の圧力は、溶媒の体積流量に適合させることができる。
【００３７】
図１ｄ）および図４のように、カートリッジ１のフランジ５は、カートリッジ受入れ部品１０と密封式に協働し、その結果として、液体が流出部分１１だけを通って混合チャンバ１３を出ることを保証する。
さらに、突出部８は、位置決め手段であるだけでなくカートリッジ受入れ部品１０内の流出部分１１を密封式に被覆する。
フランジ５およびそれに設けられた突出部８は、それらの端面またはそれらの周囲を介して、カートリッジ受入れ部品１０の対応する面と密封式に協働することができる。
【００３８】
図５〜図８は、本発明のさらなる実施形態であるシステムを示す。
カートリッジ１に関して、図１〜図４を参照することができ、ここで、カートリッジ１は、フランジ５に加えて、その接続領域に固定手段２０も有し、この固定手段２０は、カートリッジ１をカートリッジ受入れ部品１０に接続する。
さらに、壁領域６は、図８に示す窪み２４を有し、この窪み２４は、カートリッジ１とカートリッジ受入れ部品１０および任意選択的にディスペンサとの間の長手方向の変位を可能にし、また、カートリッジ１の案内部分２４に相当する。
【００３９】
カートリッジ受入れ部品１０に関しても、図１〜図４を参照することができる。
しかしながら、図７から理解できるように、カートリッジ受入れ部品１０は、所定の変形点または所定の破断点２２によって混合チャンバ１３に接続される固定リングまたは固着リング２１を有している。
この固定リングまたは固着リング２１は、固定手段２０、例えば、カートリッジ１に設けられたカラー２０と圧力嵌め式に協働する。
また、カートリッジ受入れ部品１０に関し、混合チャンバ１３は、突出部２３を有し、流出部分１１は、突出部２３内に設けられている。
さらに、カートリッジ受入れ部品１０は、ガス入口１８に加えて穿刺手段１６も有することが、図７から分かる。
ガス入口１８を介して、ガスが、カートリッジ１に押し込まれ、ガスは、飲料基体または食品基体をカートリッジ１から押し出す。
開封手段である穿刺手段１６は、斜めの切り込みによって膜１４に切り込み、斜めの切り込みは、その後、フラップを形成し、フラップは、飲料基体または食品基体の圧力により下方へ押され、飲料基体または食品基体がより簡単に流れ出ることを可能にする。
穿刺手段１６は、十分であり得ること、または、図１〜図４を参照して説明したような膜１４の穿刺および飲料基体または食品基体の流出に使用することも可能である。
この開封手段である穿刺手段１６、ガス入口１８を、図１〜図４による実施形態に移行することもできる。
【００４０】
図５は、穿刺前のシステムを示す。
図６は、膜１４が穿刺された後のシステムを示す。
図６にて移動方向２の矢印によって示される混合チャンバ１３とカートリッジ１との間の相対移動を介して、所定の変形点または所定の破断点２２が、それぞれ変形または破壊され、その結果、カートリッジ１は、固定リング２１または固着リング２１と一緒に混合チャンバ１３の方向に動くことができる。
この結果、フランジ５が同じく溝２７に導入され、密封式に溝２７と協働し、膜１４は、穴を開けられ、飲料基体または食品基体は、カートリッジ１から混合チャンバ１３に流れ込むことができ、混合チャンバ１３内で溶媒と混合され、溶媒は、流入部分１５を介して混合チャンバ１３に計量供給され、流出部分１１を介して混合チャンバ１３を出る。
【００４１】
図９は、カートリッジ１の壁領域６の固定手段である、本例においては、溝状の形状合致手段２５を示す。
固定手段２６は、それによってカートリッジ１がディスペンサに固定され、この溝状の形状合致手段２５に係合することが可能である。
【００４２】
図１０および図１１は、それぞれ混合チャンバ１３を平面図で示す。
混合チャンバ１３には、混合要素２８が設けられ、それぞれいくつかの構成要素からなる。
図１０では、構成要素は、円形リングの断片の形態であり、円形リングの直径は、異なっていてもよい。
図１１において、構成要素は、角度が付いている。
混合要素２８は、飲料基体または食品基体と溶媒とを容易にブレンドするように設計されるが、できるだけ小さい圧力損失しか生じないように設計されている。
【００４３】
図１２に、カートリッジ１とカートリッジ受入れ部品１０とからなるシステムが、右側に示されている。
本例においては、流出部分１１の方向からのものである。
図１２の左側の図は、ホルダ２９を示し、それを用いて、このシステム、すなわち、カートリッジ１、カートリッジ受入れ部品１０は、ディスペンサに保持される。
ホルダ２９は、切欠きを有し、そこに、混合チャンバ１３の底部が、少なくとも部分的に突出する。
ホルダ２９は、システムの支持部として働く。
ホルダ２９の下に配置されるのは、容器であり、出来上がった飲料または食品は、この容器に流れ込む。
さらに、ホルダ２９は、案内部分３０を有し、これは、カートリッジ受入れ部品１０と形状合致式に協働し、また、カートリッジ受入れ部品１０を横へ滑ることから、および、ホルダ２９に対してねじれることから守る。
案内部分３０は、切欠きから離れて設けられる。
滑りまたはねじれから守る機能は、切欠きとカートリッジ受入れ部品１０の底部との間の形状の合致によっても担うことができる。
切欠きは、溶媒の接続部によって隣接されるが、接続部は、ホルダ２９の一部でないことが好ましい。
【００４４】
図１３は、本発明のさらに実施形態によるカートリッジ１の４つの図を示す。
カートリッジ１ならびにカートリッジ１およびカートリッジ受入れ部品１０の関連システム（図１４に示す）は、本発明の第１実施形態による図１〜図４を参照して説明されるシステムと機能の点で似ている。
【００４５】
しかしながら、図１３に示されるカートリッジ１は、２つのフランジ５を有している。
両方のフランジ５は、カートリッジ受入れ部品１０をカートリッジ１に固定する働きをする。
加えて、膜１４は、外側のフランジ５に封じ付けられる。
【００４６】
２つのフランジ５の（カートリッジ１の長手方向軸に対して垂直な）断面は、丸い周囲を有し、直線的な周囲領域３１が一方の側に設けられている。
平坦なまたは直線的な周囲領域３１において、周囲は、実質的に直線として延在し（図１３の右側の図中、フランジ５の下側において見ることができる）、一方で、直線的な周囲領域３１から離れたフランジ５の周囲は、曲線として延在する。
直線的な周囲領域３１は、位置決め手段として機能し、それを介して、カートリッジ１の向きは、カートリッジ受入れ部品１０に対して固定される。
【００４７】
図１４に、適合するカートリッジ受入れ部品１０を見ることができる。
カートリッジ受入れ部品１０の周囲が、図１３に示される２つのフランジ５の輪郭に対応する形状を有し、カートリッジ１およびカートリッジ受入れ部品１０は、互いに特別な向きにおいてのみ接続できる。
かくして、直線的な周囲領域３１は、ねじれ防止手段として機能する。
これは、ガスがキャビティに押し込まれるカートリッジ１の領域も決定する。
【００４８】
混合チャンバ１３内に配置されているのは、スパイク１６（穿刺手段１６とも呼ばれる）が移動可能にその中を案内されるスパイク案内部分３２である。
従って、膜１４の穴開けは、カートリッジ１とカートリッジ受入れ部品１０との間の相対移動によってもたらされるのではなく、スパイク１６は、カートリッジ１に対して固定されたカートリッジ受入れ部品１０の中を移動可能に案内される。
このようにして、スパイク１６は、膜１４から離れた後退位置（システムの初期状態に対応する）から、カートリッジ１のキャビティの中へ突出し、その過程で、膜１４に穴を開ける伸長位置へ移行することができる。
この伸長位置において、カートリッジ１は、開封され、飲料基体または食品基体は、スパイク１６の外面の流出チャネル１７を介して膜１４を越えて混合チャンバ１３へ流れ込むことができる。
【００４９】
ラッチストリップ３３が、カートリッジ１に面するカートリッジ受入れ部品１０の側に設けられ、カートリッジ１をカートリッジ受入れ部品１０に固定するために、２つのフランジ５の１つの周囲に形状合致式または圧力嵌め式に係合する。
このようにして、カートリッジ１とカートリッジ受入れ部品１０との間の相対移動は、防止される。
【００５０】
図１５は、図１４に示されるスパイク案内部分３２の中を案内されるスパイク１６の概略図を示す。
スパイク１６は、ガス入口１８として機能する内側の圧縮空気ライン３４と、外側の流出チャネル１７とを有し、外側の流出チャネル１７を介して、飲料基体または食品基体は、スパイク１６によって穿刺された膜１４を越えて混合チャンバ１３へ流れ込むことができる。
圧縮空気源に接続するための圧縮空気ライン３４の圧縮空気接続部分は、カートリッジ１から離れたスパイク１６の側に形成され、前記圧縮空気接続部分は、カートリッジ受入れ部品１０の外側からアクセス可能であり、圧縮空気をカートリッジ１に吹き込むための圧縮空気ライン３４の圧縮空気出口は、カートリッジ１に面するスパイク１６の側に形成される。
【００５１】
図１５に示すスパイク１６が、図１４に示すカートリッジ受入れ部品１０のスパイク案内部分３２の中に配置され、図１４に示すカートリッジ受入れ部品１０が図１３に示すカートリッジ１に接続される配置は、本発明のさらなる実施形態によるシステムを示す。
【符号の説明】
【００５２】
１  ・・・カートリッジ
２  ・・・移動方向
３  ・・・首部
４  ・・・接続領域
５  ・・・フランジ
６  ・・・壁領域
７  ・・・底部領域
８  ・・・位置決め手段または被覆手段、窪みまたは突出部
９  ・・・物質の流入部分、穿刺手段
１０  ・・・カートリッジ受入れ部品
１１  ・・・物質プラス溶媒または水の流出部分
１２  ・・・物質プラス溶媒または水の流れの方向
１３  ・・・混合チャンバ
１４  ・・・膜（クロージャ）
１５  ・・・溶媒（水）の流入部分
１６  ・・・穿刺手段（スパイク）
１７  ・・・流出チャネル
１８  ・・・ガス入口
１９  ・・・シール（カラーシール）
２０  ・・・固定手段（カラー）
２１  ・・・固定リング（固着リング）
２２  ・・・変形点（破断点）
２３  ・・・カートリッジ受入れ部品の窪み（突出部）
２４  ・・・窪み、案内部分
２５  ・・・固定手段２６の形状合致手段
２６  ・・・固定手段
２７  ・・・密封手段、溝
２８  ・・・混合要素
２９  ・・・ホルダ
３０  ・・・カートリッジ受入れ部品の案内部分
３１  ・・・直線的な周囲領域
３２  ・・・スパイク案内部分
３３  ・・・ラッチストリップ
３４  ・・・圧縮空気ライン
【手続補正２】
【補正対象書類名】特許請求の範囲
【補正対象項目名】全文
【補正方法】変更
【補正の内容】
【特許請求の範囲】
【請求項１】
希釈液、特に水の流入部分（１５）と、前記希釈液と飲料基体または食品基体とが混合される混合チャンバ（１３）と、流出部分（１１）とを有するカートリッジ受入れ部品（１０）であって、
前記カートリッジ受入れ部品（１０）が、固定リングまたは固着リング（２１）を有し、
前記固定リングまたは固着リング（２１）が、前記混合チャンバ（１３）に所定の変形点または破断点（２２）を設けていることを特徴とするカートリッジ受入れ部品（１０）。
【請求項２】
前記希釈液の流れの方向に関して、流れ断面が、最初に拡張され、次いで、再び縮小されていることを特徴とする、請求項１に記載のカートリッジ受入れ部品（１０）。
【請求項３】
前記混合チャンバ（１３）が、突出部（２３）を有していることを特徴とする、請求項１または請求項２に記載のカートリッジ受入れ部品（１０）。
【請求項４】
前記流出部分（１１）が、前記突出部（２３）内に設けられていることを特徴とする、請求項３に記載のカートリッジ受入れ部品（１０）。
【請求項５】
前記混合チャンバ（１３）内に少なくとも１つの混合要素（２８）が、設けられていることを特徴とする、請求項１〜請求項４のいずれか一項に記載のカートリッジ受入れ部品（１０）。
【請求項６】
前記膜（１４）に穴を開ける穿刺手段（１６）を有していることを特徴とする、請求項１〜請求項５のいずれか一項に記載のカートリッジ受入れ部品（１０）。
【請求項７】
前記カートリッジ受入れ部品（１０）が、スパイク案内部分（３２）を有し、
前記穿刺手段（１６）が、前記スパイク案内部分（３２）内に変位可能に取り付けられ、
前記穿刺手段（１６）が、前記膜（１４）から離れた後退位置と前記穿刺手段（１６）が前記膜（１４）を穿刺して前記カートリッジ（１）の中に突出する伸長位置との間で変位可能であることを特徴とする、請求項６に記載のカートリッジ受入れ部品（１０）。
【請求項８】
前記膜（１４）が前記穿刺手段（１６）によって穿刺されると、前記飲料基体または食品基体を前記混合チャンバ（１３）の方向に送る横方向の流出チャネル（１７）が、前記穿刺手段（１６）の外壁に導入されていることを特徴とする、請求項７に記載のカートリッジ受入れ部品（１０）。
【請求項９】
圧縮空気ライン（３４）が、前記穿刺手段（１６）に一体化され、
圧縮空気源に接続する前記圧縮空気ライン（３４）の圧縮空気接続部が、前記カートリッジ（１）から離れた前記穿刺手段（１６）の側に形成され、
前記圧縮空気接続部が、前記カートリッジ受入れ部品（１０）の外側からアクセス可能であり、
圧縮空気を前記カートリッジ（１）に吹き込む前記圧縮空気ライン（３４）の圧縮空気出口が、前記カートリッジ（１）に面する前記穿刺手段（１６）の側に形成されていることを特徴とする、請求項８に記載のカートリッジ受入れ部品（１０）。
【請求項１０】
前記流入部分（１５）および前記流出部分（１１）が、前記カートリッジ受入れ部品（１０）の両端に設けられていることを特徴とする、請求項１〜請求項９のいずれか一項に記載のカートリッジ受入れ部品（１０）。
【請求項１１】
前記穿刺手段（１６）が、前記流入部分（１５）および前記流出部分（１１）と整列された態様で設けられていることを特徴とする、請求項６または請求項１０に記載のカートリッジ受入れ部品（１０）。
【請求項１２】
前記カートリッジ（１）が提供される請求項１〜請求項１１のいずれか一項に記載のカートリッジ受入れ部品（１０）を有するシステムであって、
前記カートリッジ（１）が壁領域（６）を有し、その一方の端部が、前記膜（１４）によって閉鎖される接続領域（４）によって隣接され、その反対側の端部に任意選択的に底部領域（７）が設けられ、
前記壁領域（６）および前記底部領域（７）が、飲料基体または食品基体を収容するキャビティを画成するシステム。
【請求項１３】
前記接続領域（４）が、位置決め手段または被覆手段（８）が設けられたフランジ（５）を有していることを特徴とする、請求項１２に記載のシステム。
【請求項１４】
前記位置決め手段または被覆手段（８）が、窪みまたは前記フランジ（５）の周囲から突出する突出部（８）であることを特徴とする、請求項１３に記載のシステム。
【請求項１５】
前記壁領域（６）と前記接続領域（４）との間に首部（３）が、設けられていることを特徴とする、請求項１２〜請求項１４のいずれか一項に記載のシステム。
【手続補正３】
【補正対象書類名】図面
【補正対象項目名】図５
【補正方法】変更
【補正の内容】
【図５】
2019112144.tif 000001
【手続補正４】
【補正対象書類名】図面
【補正対象項目名】図１３
【補正方法】変更
【補正の内容】
【図１３】
2019112144.tif 000002